(57)【特許請求の範囲】
【請求項１】
複数のエレメントが連設されてなる連続地中壁と、
前記連続地中壁と一体に形成された躯体本体と、
前記躯体本体の下面縁部に沿って形成された導水路と、
前記連続地中壁と前記躯体本体との境界部において前記エレメント同士の継目を覆う止水部材と、を備える地下構造物であって、
前記止水部材は、前記継目に沿って打設されたセメント系材料の硬化体を備えており、当該止水部材の下端は前記導水路に接続していることを特徴とする、地下構造物。
【請求項２】
前記止水部材は、前記エレメント同士の継目を覆うカバー部材を備えており、
前記硬化体は、前記カバー部材および前記エレメントに囲まれた空間に充填されていることを特徴とする、請求項１に記載の地下構造物。
【請求項３】
カッティング方式により連続地中壁を形成する土留工程と、
前記連続地中壁を土留壁として地盤を掘削する掘削工程と、
地盤の掘削により露出した前記連続地中壁のエレメント同士の継目をカバー部材で覆う止水準備工程と、
前記連続地中壁の表面に沿って躯体本体を形成する躯体施工工程と、
前記カバー部材および前記連続地中壁に囲まれた空間に充填材を充填する止水工程と、を備えることを特徴とする、地下構造物の施工方法。
【請求項４】
前記止水準備工程では、前記継目に沿ってグラウトホースを設置した後、前記カバー部材を設置し、
前記止水工程では、前記グラウトホースを利用して充填材を充填することを特徴とする、請求項３に記載の地下構造物の施工方法。
【発明の詳細な説明】
【技術分野】
【０００１】
本発明は、地下構造物および地下構造物の施工方法に関する。
【背景技術】
【０００２】
連続地中壁等からなる土留壁により囲まれた地下空間内において、地下構造物を構築する地下構造物の施工方法が知られている。
このような連続地中壁の施工方法として、例えば特許文献１に示すように、先行して形成された先行エレメントの端部を切削しながら溝を形成し、この溝内に後行エレメントを形成するカッティング方式が採用される場合がある。
【０００３】
連続地中壁は、エレメント同士の継手部からの地下水の浸透が懸念される。
そのため、連続地中壁の表面に沿って地下構造物（躯体本体）を施工する場合には、連続地中壁の表面（連続地中壁と躯体本体との当接面）に防水工を施すことで、地下構造物への漏水を防止するのが一般的である。
【０００４】
なお、地下構造物を構築する際に、土留壁として使用した連続地中壁を躯体の一部として本体利用すれば、躯体本体の断面形状の縮小化を図ることができるとともに、用地境界に近接して地下構造物を構築することによる用地の有効利用が可能となる。
【先行技術文献】
【特許文献】
【０００５】
【特許文献１】特開平１０−１０２４８４号公報
【発明の概要】
【発明が解決しようとする課題】
【０００６】
連続地中壁を本体利用する場合に、連続地中壁と躯体本体との間に防水工が施されていると、連続地中壁と躯体本体との一体化が阻害されてしまう。一方、防水工を省略すると、エレメント同士の継手部からの漏水を防止することができない。
そのため、連続地中壁と躯体本体との一体化を可能とし、かつ、エレメント同士の継手部からの地下水の浸透を防止することを可能とした技術が求められている。
【０００７】
このような観点から、本発明は、連続地中壁を本体利用する場合において連続地中壁からの漏水を防止することを可能とした地下構造物および地下構造物の施工方法を提案することを課題とする。
【課題を解決するための手段】
【０００８】
前記課題を解決するために、本発明の地下構造物は、複数のエレメントが連設されてなる連続地中壁と、前記連続地中壁と一体に形成された躯体本体と、前記躯体本体の下面縁部に沿って形成された導水路と、前記連続地中壁と前記躯体本体との境界部において前記エレメント同士の継目を覆う止水部材とを備えるものであって、前記止水部材は前記継目に沿って打設されたセメント系材料の硬化体を備えており、当該止水部材の下端は前記導水路に接続していることを特徴としている。
【０００９】
かかる地下構造物によれば、エレメント同士の継目が止水部材により止水されているため、連続地中壁からの漏水が防止されている。また、エレメント同士の継目部のみが止水部材により覆われているため、連続地中壁と躯体本体との一体化が止水部材により阻害されることもない。
【００１０】
前記止水部材が前記エレメント同士の継目を覆うカバー部材を備えており、前記硬化体が前記カバー部材および前記エレメントに囲まれた空間に充填されていれば、より確実にエレメント同士の継目を止水できる。
【００１１】
また、本実施形態の地下構造物の施工方法は、カッティング方式により連続地中壁を形成する土留工程と、前記連続地中壁を土留壁として地盤を掘削する掘削工程と、地盤の掘削により露出した前記連続地中壁のエレメント同士の継目をカバー部材で覆う止水準備工程と、前記連続地中壁の表面に沿って躯体本体を形成する躯体施工工程と、前記カバー部材および前記連続地中壁に囲まれた空間に充填材を充填する止水工程とを備えることを特徴としている。
【００１２】
かかる地下構造物の施工方法によれば、充填材によりエレメント同士の継目からの漏水を防止し、連続地中壁を本体利用した地下構造物を高品質に施工することができる。
【００１３】
前記止水準備工程では、前記継目に沿ってグラウトホースを設置した後、前記カバー部材を設置し、前記止水工程では、前記グラウトホースを利用して充填材を充填するとよい。このようにすると、充填材充填時の施工性が向上する。
【発明の効果】
【００１４】
本発明の地下構造物および地下構造物の施工方法によれば、連続地中壁を本体利用する場合において、連続地中壁からの漏水を防止することが可能となる。
【図面の簡単な説明】
【００１５】
【図１】本発明の実施形態に係る地下構造物の一部を示す横断面図である。
【図２】同地下構造物の一部を示す平断面図である。
【図３】（ａ）は地下構造物の継目を示す拡大平断面図、（ｂ）は同継目の正面図である。
【図４】（ａ）は本実施形態の地下構造物の施工方法の土留工程を示す斜視図、（ｂ）は止水準備工程を示す斜視図である。
【発明を実施するための形態】
【００１６】
本実施形態の地下構造物１は、図１および図２に示すように、連続地中壁２からなる土留壁を利用して形成されたボックスカルバート（躯体本体）１０であって、連続地中壁２を本体の一部として利用している。
【００１７】
ボックスカルバート１０は、側面が連続地中壁２に当接した状態で形成されている。
ボックスカルバート１０と連続地中壁２とは、図示しない連結部材（アンカーボルトや鉄筋等）を介して一体に形成されている。
【００１８】
ボックスカルバート１０は、鉄筋コンクリート造であって、図１に示すように、左右の本体壁１１，１１（図１では左側の本体壁１１のみを表示）と、本体壁１１の上下に配設された本体頂版１２および本体底版１３とにより、断面矩形状に形成されている。
なお、ボックスカルバート１０を構成する材料は限定されるものではなく、コンクリート造や鉄骨鉄筋コンクリート造であってもよい。また、ボックスカルバート１０の形状も限定されるものではない。また、ボックスカルバート１０は、プレキャスト部材により形成されていてもよい。
【００１９】
本実施形態のボックスカルバート１０は中階床スラブ１４を備えているが、中階床スラブ１４は必要に応じて形成すればよい。また、中階床スラブ１４の数は限定されるものではなく、複数段備えていてもよい。
【００２０】
連続地中壁２は、地上から地中に向けて形成されたコンクリート製の壁体であって、図２に示すように、複数のエレメント２１，２１，…が横方向に連設されることにより形成されている。
本実施形態では、地上から溝を形成し、溝内に鉄筋籠を挿入した状態でコンクリートを充填することによりエレメント２１を形成している。
エレメント２１同士の境界である継目２２には、止水部材３が設置されている。
【００２１】
止水部材３は、連続地中壁２のボックスカルバート１０側の側面（連続地中壁２とボックスカルバート１０との境界部）において、継目２２の全長を覆っている。
本実施形態の止水部材３は、継目２２に沿って打設された硬化体３１を備えている。
本実施形態では、硬化体３１として、グラウトを利用するが、硬化体３１を構成する材料は、セメント系材料であれば限定されない。
【００２２】
硬化体３１の外面は、図３の（ａ）に示すように、カバー部材３２により覆われている。
カバー部材３２は、継目２２を覆うように連続地中壁２に固定された樋状の部材である。カバー部材３２は、断面コ字状の本体部３２ａと、本体部３２ａの両端部から側方に向かって延設された取付部３２ｂ，３２ｂとを備えている。
【００２３】
カバー部材３２は、隣り合うエレメント２１，２１の境界部を跨いだ状態で配置されている。カバー部材３２の各取付部３２ｂは、ボルト３２ｃを介してエレメント２１に固定されている。なお、カバー部材３２の固定方法は限定されない。また、カバー部材３２の断面形状も限定されない。
【００２４】
硬化体３１は、カバー部材３２およびエレメント２１，２１により囲まれた空間に充填されることで、継目２２に沿って形成されている。
【００２５】
以下、本実施形態の地下構造物１の施工方法について説明する。
地下構造物１の施工方法は、土留工程と、掘削工程と、止水準備工程と、躯体施工工程と止水工程とを備えている。
【００２６】
土留工程は、図４の（ａ）に示すように、連続地中壁２を形成する工程である。
連続地中壁２を構成する各エレメント２１は、地盤を掘削することで形成された溝内に、鉄筋籠を挿入するとともにコンクリートを打設することにより形成されている。
【００２７】
本実施形態の連続地中壁２は、いわゆるカッティング方式により形成する。カッティング方式では、先行して形成されたエレメント２１の端部を切削しながら掘削された溝内に後行のエレメント２１を形成することにより、隣り合うエレメント２１同士を連続させる。
エレメント２１同士の接合部に必要に応じて凹凸を形成してもよい。
【００２８】
連続地中壁２は、掘削工程において床付け面まで掘削した際に、土圧により変形することがない耐力を発現する壁厚を有しているとともに、十分な根入れ深さを有した形状とする。
【００２９】
掘削工程は、連続地中壁２を土留壁として地盤を掘削する工程である。
掘削工程により、ボックスカルバート１０を施工するための空間を形成する。なお、掘削工程では、連続地中壁２の表面を露出させる。
【００３０】
掘削工程では、必要に応じて、連続地中壁２とボックスカルバートとを接合するためのアンカーボルトや鉄筋等の連結部材（図示せず）を、連続地中壁２に植設する。
【００３１】
本実施形態では、図１に示すように、床付け面の縁部に、導水路４を形成しておく。
導水路４は、連続地中壁２に沿って形成された溝４２に有孔管からなる導水管４１を配管することにより形成されている。溝４１内の導水管４の周囲には、砕石４３が充填されている。
なお、導水路４の構成は限定されない。
【００３２】
止水準備工程は、図４の（ｂ）に示すように、カバー部材３２を設置する工程である。
止水準備工程では、まず、地盤の掘削により露出した連続地中壁２のエレメント２１同士の継目２２に沿ってグラウトホース３３を配管し、次に、継目２２およびグラウトホース３３を覆うようにカバー部材３２を設置する。
【００３３】
なお、止水準備工程は、掘削工程と並行して行ってもよい。すなわち、カバー部材３２およびグラウトホース３３の連続地中壁２への設置は、地盤の掘削が所定の高さだけ進行するたびに実施してもよい。
【００３４】
グラウトホース３３は、ボックスカルバート１０の頂部（頂版１２の上部）から導水路４の上面に至る長さを有している。
また、カバー部材３２と連続地中壁２との接合面（当接面）には、止水コーキングを行う。
【００３５】
躯体施工工程は、連続地中壁２の表面に沿ってボックスカルバート１０を形成する工程である。
本実施形態では、本体底版１３、本体壁１１、本体頂版１２の順によりボックスカルバート１０を形成する。
ボックスカルバート１０は、連続地中壁２の植設された連結部材を巻き込んだ状態で形成する。
【００３６】
止水工程は、カバー部材３２および連続地中壁２に囲まれた空間に無収縮グラウト（充填材）を充填する工程である。
グラウトの注入は、グラウトホース３３を利用して、空間の底部から行う。グラウトの注入は、カバー部材３２の上端からグラウトが溢れ出すまで行う。
【００３７】
グラウトに所定の強度が発現したら（硬化体３１が形成されたら）ボックスカルバート１０に覆土（埋め戻し）５を行う。なお、覆土５は、必要に応じて行えばよく、ボックスカルバート１０の上面が地上に露出させる場合には、省略してもよい。
【００３８】
本実施形態の地下構造物１によれば、エレメント２１同士の継目２２が止水部材３により止水されているため、連続地中壁２からの漏水が防止され、ひいては、ボックスカルバート１０の表面からの漏水を防止することができる。
【００３９】
また、エレメント２１同士の継目部２２のみが止水部材３により覆われているため、連続地中壁２とボックスカルバート１０との一体化が止水部材３により阻害されることがない。
したがって、連続地中壁２を地下構造物１の一部として本体利用することが可能となり、ボックスカルバート１０の小断面化を図ることができる。そのため、ボックスカルバート１０の施工費の低減化および工期短縮化を図ることができる。
【００４０】
硬化体３１は、継目２２を覆うように配設されたカバー部材３２の内部にグラウトを注入することにより形成されているため、継目２２を確実に封鎖している。
グラウトホース３３を利用してグラウトを注入するため、カバー部材３２と連続地中壁２との間に形成された空間へのグラウトを簡易かつ確実に充填することができる。
【００４１】
止水部材３の下端が導水路４に接続しているため、止水工程前に継目２２から漏水が発生した場合であっても、当該漏水は止水部材３により導水路４に誘導される。したがって、ボックスカルバートの施工等に悪影響を及ぼすこともない。なお、導水路４に誘導された水は、所定の位置に設けられた図示しないポンプにより排水する。
【００４２】
以上、本発明に係る実施形態について説明した。しかし、本発明は、前述の実施形態に限られず、前記の各構成要素については、本発明の趣旨を逸脱しない範囲で、適宜変更が可能である。
例えば、本実施形態の地下構造物１は、必ずしもボックスカルバートである必要はなく、地下構造物１の構造や形状等は限定されない。
【００４３】
また、連続地中壁２は、必ずしもカッティング方式により施工する必要はない。
前記実施形態では、止水部材３を継目２２の全長にわたって配設する場合について説明したが、止水部材３は、ボックスカルバート（躯体本体）１０に対応する範囲に対して継目２２を覆っていれば良く、必ずしも継目２２の全長を覆っている必要はない。
【符号の説明】
【００４４】
１    地下構造物
１０  ボックスカルバート（躯体本体）
１１  本体壁
１２  本体頂版
１３  本体底版
１４  中階床スラブ
２    連続地中壁
２１  エレメント
２２  継目
３    止水部材
３１  硬化体
３２  カバー部材
３３  グラウトホース
【図１】
0006374736.tif 000002
【図２】
0006374736.tif 000003
【図３】
0006374736.tif 000004
【図４】
0006374736.tif 000005